(57)【要約】【課題】トレーが変形しにくいパッケージを提供する。【解決手段】パッケージ１は内容物１００を収容する収容空間１０Ａを含むトレー１０と、収容空間１０Ａが閉じられるようにトレー１０の天面１４Ａとシールされる蓋２０と、天面１４Ａと蓋２０とがシールされた部分であるシール部３０とを備えるシール部３０はトレー１０の外形に沿うように延びる一般シール部３１、および、一般シール部３１よりもトレー１０の内側に突き出る通蒸予定シール部３２を含む。蓋２０は天面１４Ａとシールされるシーラント層、および、シーラント層に積層され、マイクロ波によって発熱する発熱層２２を含む。発熱層２２はトレー１０の平面視において、通蒸予定シール部３２の一部と重なるように設けられ、通蒸予定シール部３２が剥離した場合に蓋２０と天面１４Ａとの間に形成される通蒸路が閉塞しないように蓋２０を変形させる。【選択図】図１
2020083342.tif 000002
【特許請求の範囲】
【請求項１】
内容物を収容する収容空間を含むトレーと、
前記収容空間が閉じられるように前記トレーの天面とシールされる蓋と、
前記天面と前記蓋とがシールされた部分であるシール部とを備え、
前記シール部は前記トレーの外形に沿うように延びる一般シール部、および、前記一般シール部よりも前記トレーの内側に突き出る通蒸予定シール部を含み、
前記蓋は前記天面とシールされるシーラント層、および、前記シーラント層に積層され、マイクロ波によって発熱する発熱層を含み、
前記発熱層は前記トレーの平面視において、前記通蒸予定シール部の一部と重なるように設けられ、前記通蒸予定シール部が剥離した場合に前記蓋と前記天面との間に形成される通蒸路が閉塞しないように前記蓋を変形させる
パッケージ。
【請求項２】
前記発熱層は前記トレーの平面視において、前記通蒸予定シール部を跨ぐように設けられる
請求項１に記載のパッケージ。
【請求項３】
前記発熱層は前記トレーの平面視において、少なくとも前記通蒸予定シール部の前記内側の先端と重なるように設けられる
請求項１または２に記載のパッケージ。
【請求項４】
前記トレーは前記一般シール部が設けられる一般トレー部、および、前記通蒸予定シール部が設けられ、前記一般トレー部よりも前記トレーの前記内側に突き出る通蒸予定トレー部を含み、
前記発熱層は前記トレーの平面視において、前記通蒸予定トレー部を跨ぐように設けられる
請求項１〜３のいずれか一項に記載のパッケージ。
【請求項５】
前記発熱層は発熱インキを含み、
前記発熱インキの網点面積率が５０％〜１００％の範囲に含まれる
請求項１〜４のいずれか一項に記載のパッケージ。
【発明の詳細な説明】
【技術分野】
【０００１】
本発明はパッケージに関する。
【背景技術】
【０００２】
電子レンジで加熱されることによってトレーの内圧が上昇した場合に自動的に水蒸気を排出するように構成されるパッケージが知られている。例えば、特許文献１は内容物を収容する収容空間を含む容器(１３)、収容空間が閉じられるように容器(１３)の天面とシールされるマイクロ波発熱包装体(９)、および、天面とマイクロ波発熱包装体(９)とがシールされた部分であるヒートシール部(１４)を備える包装容器を開示している。マイクロ波発熱包装体(９)は容器(１３)の天面とシールされるシール層、および、シール層に積層され、マイクロ波によって発熱する塗布層(３)を備える。特許文献１の包装容器が電子レンジで加熱された場合、塗布層(３)が発熱し、塗布層(３)の近傍のヒートシール部(１４)が弱化することによってマイクロ波発熱包装体(９)と容器(１３)との間に開口が形成され、この開口から水蒸気が排出される。
【先行技術文献】
【特許文献】
【０００３】
【特許文献１】特開２０１７−１５９９１２号公報
【発明の概要】
【発明が解決しようとする課題】
【０００４】
上記包装容器では、開口を通過して排出される水蒸気が冷却された場合に水滴がマイクロ波発熱包装体(９)および容器(１３)に付着し、開口が閉塞されることがある。開口が閉鎖された状態で容器(１３)の収容空間の空気が冷却された場合、収容空間の空気の体積が減少することによって収容空間が減圧され、容器(１３)が変形するおそれがある。
【課題を解決するための手段】
【０００５】
(１)本発明に関するパッケージは内容物を収容する収容空間を含むトレーと、前記収容空間が閉じられるように前記トレーの天面とシールされる蓋と、前記天面と前記蓋とがシールされた部分であるシール部とを備え、前記シール部は前記トレーの外形に沿うように延びる一般シール部、および、前記一般シール部よりも前記トレーの内側に突き出る通蒸予定シール部を含み、前記蓋は前記天面とシールされるシーラント層、および、前記シーラント層に積層され、マイクロ波によって発熱する発熱層を含み、前記発熱層は前記トレーの平面視において、前記通蒸予定シール部の一部と重なるように設けられ、前記通蒸予定シール部が剥離した場合に前記蓋と前記天面との間に形成される通蒸路が閉塞しないように前記蓋を変形させる。
上記パッケージによれば、電子レンジで加熱された場合に通蒸予定シール部にトレーの内圧が集中する。このため、通蒸予定シール部が一般シール部よりも先に剥離し、その剥離した部分にトレーの収容空間と外部とを連通する通蒸路が形成される。発熱層が発熱することによって通蒸路を閉塞しないように蓋が変形するため、トレーおよび蓋に水滴が付着した場合であっても、通蒸路を介して収容空間と外部とが連通している状態が維持される。このため、収容空間の空気が冷却された場合であっても、収容空間が減圧されず、トレーが変形しにくい。また、発熱層が通蒸予定シール部の一部と重なるように設けられる場合、発熱層が通蒸予定シール部の全体と重なるように設けられる場合よりも蓋が大きく変形し、より広い面積の通蒸路が形成され、トレーが変形しにくいことが確認された。
【０００６】
(２)好ましい例では(１)に記載のパッケージにおいて、前記発熱層は前記トレーの平面視において、前記通蒸予定シール部を跨ぐように設けられる。
発熱層が広い範囲に設けられるため、蓋が大きく変形し、通蒸路の面積が広くなる。このため、トレーが一層変形しにくい。
【０００７】
(３)好ましい例では(１)または(２)に記載のパッケージにおいて、前記発熱層は前記トレーの平面視において、少なくとも前記通蒸予定シール部の前記内側の先端と重なるように設けられる。
通蒸予定シール部のうちの最も先に剥離する部分が変形するため、通蒸路が一層閉塞しにくい。このため、トレーが一層変形しにくい。
【０００８】
(４)好ましい例では(１)〜(３)のいずれか一項に記載のパッケージにおいて、前記トレーは前記一般シール部が設けられる一般トレー部、および、前記通蒸予定シール部が設けられ、前記一般トレー部よりも前記トレーの前記内側に突き出る通蒸予定トレー部を含み、前記発熱層は前記トレーの平面視において、前記通蒸予定トレー部を跨ぐように設けられる。
発熱層が広い範囲に設けられるため、蓋が大きく変形し、通蒸路の面積が広くなる。このため、トレーが一層変形しにくい。
【０００９】
(５)好ましい例では(１)〜(４)のいずれか一項に記載のパッケージにおいて、前記発熱層は発熱インキを含み、前記発熱インキの網点面積率が５０％〜１００％の範囲に含まれる。
発熱インキの網点面積率が上記範囲に含まれる場合、蓋が大きく変形して通蒸路の面積が広くなることが確認された。このため、トレーが一層変形しにくい。
【発明の効果】
【００１０】
本発明に関するパッケージによれば、トレーが変形しにくい。
【図面の簡単な説明】
【００１１】
【図１】実施形態のパッケージの斜視図。
【図２】図１のパッケージの平面図。
【図３】図２のＤ３−Ｄ３線に沿う断面図。
【図４】図１のパッケージの通蒸予定シール部の一部が剥離した状態の斜視図。
【図５】図４のパッケージの剥離部が変形した状態の正面。
【図６】変形例のパッケージの平面図。
【発明を実施するための形態】
【００１２】
(実施形態)
図１は電子レンジで加熱される内容物１００を収容した状態のパッケージ１の斜視図である。内容物１００は例えば、チルド弁当である。チルド弁当の一例は、牛丼、親子丼、中華丼、および、カレーライスである。パッケージ１を構成する主な要素はトレー１０、蓋２０、および、シール部３０である。
【００１３】
トレー１０を構成する材料は電子レンジで加熱された場合に変形しにくい材料から任意に選択できる。一例では、トレー１０を構成する材料はポリプロピレンおよびタルクを含む混合樹脂である。トレー１０は底壁１１、側壁１２、開口１３、および、フランジ１４を備える。底壁１１および側壁１２は内容物１００を収容する収容空間１０Ａを形成する。収容空間１０Ａおよび開口１３は蓋２０によって閉じられている。フランジ１４は開口１３の周囲の全体を取り囲むように設けられる。
【００１４】
フランジ１４はトレー１０の外形に沿うように設けられる一般トレー部１５、および、一般トレー部１５よりもトレー１０の内側に突き出る通蒸予定トレー部１６を備える。トレー１０に設けられる通蒸予定トレー部１６の数は１または複数である。図１等に示される例では、トレー１０に設けられる通蒸予定トレー部１６の数は１である。通蒸予定トレー部１６の形状は収容空間１０Ａの内圧が上昇したときに収容空間１０Ａの内圧が集中するような形状から任意に選択できる。図１等に示される例では、通蒸予定トレー部１６は、内縁１６Ａが一般トレー部１５の内縁１５Ａに対してトレー１０の内側に突き出るように形成されていることにより、内縁１６Ａに尖った部分である先端１７が形成された山型の部分である。通蒸予定トレー部１６の外縁１６Ｂは内縁１６Ａに相似した形状である。
【００１５】
シール部３０はフランジ１４の天面１４Ａと蓋２０のシーラント層２１(図３参照)とがシールされた部分である。図１、図２、および、図４に示されるドットはシール部３０を示している。図１等に示される例では、天面１４Ａの全体とシーラント層２１とがシールされる。天面１４Ａとシーラント層２１とのシール方法は例えば、ヒートシール、インパルスシール、高周波シール、および、超音波シールである。シール部３０はトレー１０の外形に沿うように延びる一般シール部３１、および、一般シール部３１よりもトレー１０の内側に突き出る通蒸予定シール部３２を含む。一般シール部３１は一般トレー部１５の天面１４Ａと蓋２０のシーラント層２１とがシールされた部分である。一般シール部３１の形状は一般トレー部１５の天面１４Ａの形状と実質的に等しい。通蒸予定シール部３２は通蒸予定トレー部１６の天面１４Ａと蓋２０のシーラント層２１とがシールされた部分である。通蒸予定シール部３２の形状は通蒸予定トレー部１６の天面１４Ａの形状と実質的に等しい。
【００１６】
シール部３０のシール強度は任意に選択できる。好ましい例では、シール部３０のシール強度はパッケージ１が搬送される過程等においてパッケージ１に標準的な力が作用した場合の剥離のしにくさ、および、パッケージ１が電子レンジで加熱されて収容空間１０Ａの内圧が上昇したときの剥離のしやすさとの関係に基づいて決められる。シール部３０のシール強度の最大値の一例は２５Ｎ／１５ｍｍである。シール部３０のシール強度が２５Ｎ／１５ｍｍ以下である場合、パッケージ１が電子レンジで加熱されて収容空間１０Ａの内圧が上昇したときに通蒸予定シール部３２が好適に剥離する。シール部３０のシール強度の最小値の一例は５Ｎ／１５ｍｍである。シール部３０のシール強度が５Ｎ／１５ｍｍ以上である場合、パッケージ１が搬送される過程等においてパッケージ１に標準的な力が作用した場合でもシール部３０が剥離しにくい。シール部３０のシール強度が取り得る範囲の一例は５Ｎ／１５ｍｍ〜２５Ｎ／１５ｍｍである。一例では、シール部３０のシール強度は１２Ｎ／１５ｍｍである。なお、一般シール部３１のシール強度と通蒸予定シール部３２のシール強度とは同じであってもよく、異なっていてもよい。一般シール部３１のシール強度と通蒸予定シール部３２のシール強度とが異なる場合、通蒸予定シール部３２のシール強度が一般シール部３１のシール強度よりも低いことが好ましい。
【００１７】
図１に示されるように、蓋２０には、電子レンジで加熱が終了した後に蓋２０をトレー１０から剥がすときに掴まれる把持部２０Ａが設けられている。把持部２０Ａはフランジ１４の外縁よりも外側に突出している。図３に示されるように、蓋２０はシーラント層２１、発熱層２２、および、基材層２３が積層された３層構造を備える。シーラント層２１は最も内側に積層される。シーラント層２１を構成する材料の一例はイージーピール性を有する混合樹脂である。シーラント層２１の厚さは任意に選択できる。シーラント層２１の厚さは例えば、２０μｍ〜６０μｍの範囲に含まれる。一例では、シーラント層２１の厚さは３０μｍである。基材層２３は最も外側に積層される。基材層２３を構成する材料の一例はポリエチレンテレフタレートである。基材層２３の厚さは任意に選択できる。基材層２３の厚さは例えば、９μｍ〜２５μｍの範囲に含まれる。一例では、基材層２３の厚さは１２μｍである。
【００１８】
発熱層２２はシーラント層２１と基材層２３との間に積層される。発熱層２２とシーラント層２１とのラミネート法は例えば、ドライラミネートである。発熱層２２を構成する材料は電子レンジのマイクロ波によって発熱し、通蒸予定シール部３２が剥離した場合に蓋２０と天面１４Ａとの間に形成される通蒸路(図５参照)が閉塞しないように蓋２０を変形させることができる材料から任意に選択できる。発熱層２２を構成する材料の一例は、発熱インキ、カーボンブラック、銀、アルミニウム、および、酸化インジウム錫である。本実施形態では、発熱層２２を構成する材料は発熱インキを含む。発熱インキは例えば、特開２０１７−１５９９１２号公報に開示されているマイクロ波発熱インキ組成物を含むインキを用いることができる。発熱層２２における発熱インキの網点面積率ＲＡは任意に選択できる。好ましい例では、網点面積率ＲＡは５０％〜１００％の範囲に含まれる。網点面積率ＲＡが５０％〜１００％の範囲に含まれる場合、蓋２０が大きく変形して通蒸路４０の面積が広くなることが確認された。一例では、網点面積率ＲＡは１００％である。発熱層２２の厚さは任意に選択できる。発熱層２２の厚さは例えば、０．５μｍ〜３μｍの範囲に含まれる。一例では、発熱層２２の厚さは１μｍである。なお、発熱層２２以外の蓋２０の積層構造は任意に変更できる。
【００１９】
図２等で破線によって示される領域ＸＡはトレー１０の平面視において発熱層２２が設けられる領域である。図２に示されるように、発熱層２２はトレー１０の平面視において、通蒸予定シール部３２の一部と重なるように設けられる。換言すれば、発熱層２２はトレー１０の平面視において、通蒸予定シール部３２の一部と重ならないように設けられる。好ましい例では、発熱層２２はトレー１０の平面視において、通蒸予定シール部３２を跨ぐように設けられる。発熱層２２が広い範囲に設けられるため、蓋２０が大きく変形し、通蒸路４０(図５参照)の面積が広くなる。このため、トレー１０が一層変形しにくい。好ましい例では、発熱層２２はトレー１０の平面視において、少なくとも通蒸予定シール部３２の内縁３２Ａの先端３２ＡＸと重なるように設けられる。通蒸予定シール部３２のうちの最も先に剥離する部分が変形するため、通蒸路４０が一層閉塞しにくい。このため、トレー１０が一層変形しにくい。好ましい例では、発熱層２２はトレー１０の平面視において、通蒸予定トレー部１６を跨ぐように設けられる。発熱層２２が広い範囲に設けられるため、蓋２０が大きく変形し、通蒸路４０の面積が広くなる。このため、トレー１０が一層変形しにくい。
【００２０】
図４および図５を参照して、パッケージ１の使用方法について説明する。
パッケージ１が電子レンジで加熱されることによって、内容物１００から水蒸気が発生する。トレー１０の開口１３および収容空間１０Ａが蓋２０により閉じられているため、内容物１００が発生した水蒸気は収容空間１０Ａに滞留する。パッケージ１が加熱されている時間が長くなるにつれて、収容空間１０Ａの内圧が次第に上昇する。通蒸予定シール部３２の内縁３２Ａの先端３２ＡＸ、すなわち、通蒸予定トレー部１６の内縁１６Ａの先端１７と、通蒸予定シール部３２におけるその付近の部分はトレー１０の内圧が上昇したときにシール部３０の他の部分よりも応力が集中しやすい。このため、シール部３０の他の部分よりも先にトレー１０の天面１４Ａから剥離する。
【００２１】
図４に示されるように、通蒸予定シール部３２の内縁３２Ａの先端３２ＡＸがトレー１０から剥離した後、この剥離した部分をきっかけに、通蒸予定シール部３２の他の部分の剥離が進行する。そして、通蒸予定シール部３２の剥離がその外縁３２Ｂまで進行したとき、通蒸予定シール部３２にトレー１０の内部と外部とを連通する通路である通蒸路４０が形成される。このため、収容空間１０Ａの水蒸気が通蒸路４０を介してトレー１０の外部に排出される。蓋２０のうちの通蒸予定シール部３２の近傍である領域ＸＡには発熱層２２が設けられているため、蓋２０が天面１４Ａから剥離した場合、図５に示されるように、蓋２０のうちの剥離した部分(以下「剥離部２４」という)は熱によって変形し、通蒸路４０の面積が広くなる。内容物１００を加熱した時間が規定の時間に達したとき、パッケージ１は電子レンジから取り出される。把持部２０Ａが形成されている部分から蓋２０がめくられることによって、蓋２０がトレー１０から剥離され、開口１３から内容物１００が取り出される。
【００２２】
パッケージ１によれば、次のような作用および効果が得られる。
発熱層２２が発熱することによって通蒸路４０を閉塞しないように蓋２０が変形するため、トレー１０および蓋２０に水滴が付着した場合であっても、通蒸路４０を介して収容空間１０Ａと外部とが連通している状態が維持される。このため、例えば、加熱が終了したパッケージ１が電子レンジ内で放置されることによって、収容空間１０Ａの空気が冷却された場合であっても、収容空間１０Ａが減圧されず、トレーが変形しにくい。
【００２３】
(実施例)
本願発明者は実施例および比較例の試料を用いて、発熱層２２が設けられる領域ＸＡと電子レンジによって加熱が終了したあとに収容空間１０Ａの空気が冷却されたときのトレー１０の形状との関係を確認する試験を実施した。以下の説明では、説明の便宜上、比較例の試料における実施例の試料と共通する部分について同一の符号を付している。
【００２４】
実施例の試料は実施形態に関するパッケージ１である。実施例の試料の網点面積率ＲＡは１００％である。比較例１の試料は図２の二点鎖線で示されるように、発熱層２２が設けられる領域ＸＡがトレー１０の平面視において、通蒸予定シール部３２の全体と重なるように設けられている点で実施例の試料と相違し、その他の点で実施例の試料と一致する。比較例１の試料の網点面積率ＲＡは１００％である。比較例２の試料は発熱層２２が設けられていない点で実施例の試料と相違し、その他の点で実施例の試料と一致する。
【００２５】
試験では、実施例の試料、および、比較例１、２の試料の収容空間１０Ａに５０ｃｃの水を収容し、蓋２０が開口１３および収容空間１０Ａを閉じるようにシール部３０が形成された状態の各試料を電子レンジを用いて加熱した。電子レンジの出力は６００Ｗである。加熱時間は２分である。加熱終了後、各試料を電子レンジ内で１分間放置した後、トレー１０の形状について目視で観察した。
【００２６】
実施例の試料では、トレー１０は実質的に変形していなかった。これは、蓋２０の剥離部２４が大きく変形し、通蒸路４０について、空気が通過するための十分な広さの面積が確保されたためであると考えられる。比較例１の試料では、実施例の試料よりも僅かにトレー１０が凹むように変形していた。これは、比較例１の試料では、実施例の試料よりも蓋２０の剥離部２４の変形の度合いが小さいため、空気が通過するための十分な広さの面積が確保されず、収容空間１０Ａが僅かに減圧されたためであると考えられる。比較例２の試料では、実施例の試料よりも大きくトレー１０が凹むように変形していた。これは、比較例２の試料では、蓋２０の剥離部２４が実質的に変形せず、トレー１０および剥離部２４に付着した水滴によって通蒸路４０が閉塞され、収容空間１０Ａが大きく減圧されたためであると考えられる。
【００２７】
(変形例)
なお、上記実施形態は本発明に関するパッケージが取り得る形態の例示であり、その形態を制限することを意図していない。本発明に関するパッケージは実施形態に例示された形態とは異なる形態を取り得る。その一例は、実施形態の構成の一部を置換、変更、もしくは、省略した形態、または、実施形態に新たな構成を付加した形態である。以下に実施形態の変形例の一例を示す。
【００２８】
・パッケージ１の構成は任意に変更できる。図６に示される変形例のパッケージ１は通蒸予定トレー部１６が省略される。この変形例のパッケージ１では、一般トレー部１５に一般シール部３１および通蒸予定シール部３２が設けられる。この変形例の一般シール部３１の幅ＬＡは一般トレー部１５の幅ＬＢよりも狭い。通蒸予定シール部３２は内縁３２Ａが一般シール部３１の内縁３１Ａに対してトレー１０の内側に突き出るように形成されていることにより、内縁３２Ａに尖った部分である先端３２ＡＸが形成された山型の部分である。この変形例では、発熱層２２はトレー１０の平面視において、通蒸予定シール部３２の一部と重なるように設けられる。
【符号の説明】
【００２９】
１      ：パッケージ
１０    ：トレー
１０Ａ  ：収容空間
１４Ａ  ：天面
１５    ：一般トレー部
１６    ：通蒸予定トレー部
２０    ：蓋
２１    ：シーラント層
２２    ：発熱層
３０    ：シール部
３１    ：一般シール部
３２    ：通蒸予定シール部
３２ＡＸ：先端
１００  ：内容物
【図１】
2020083342.tif 000003
【図２】
2020083342.tif 000004
【図３】
2020083342.tif 000005
【図４】
2020083342.tif 000006
【図５】
2020083342.tif 000007
【図６】
2020083342.tif 000008